(57)【要約】  スプリングの機能を発揮しやすいメカニカルシールを提供する。  回転機械の回転軸４が挿通されるハウジング２と、前記ハウジング２に保持された静止密封環１０と、前記回転軸４とともに回転し前記静止密封環１０と摺接する回転密封環２０と、前記静止密封環１０と前記回転密封環２０とを軸方向に圧接状態に付勢するスプリング４０と、前記スプリング４０を外径側において軸方向に密封して覆うとともに弾性変形可能に形成された環状弾性体であるスプリングカバー６０とを備えた。
2018092792.tif 000002
【特許請求の範囲】
【請求項１】
回転機械の回転軸が挿通されるハウジングと、
前記ハウジングに保持された静止密封環と、
前記回転軸とともに回転し前記静止密封環と摺接する回転密封環と、
前記静止密封環と前記回転密封環とを軸方向に圧接状態に付勢するスプリングと、
前記スプリングを外径側または内径側において軸方向に密封して覆うとともに弾性変形可能に形成された環状弾性体を少なくとも有する環状のスプリングカバーと
を備えたメカニカルシール。
【請求項２】
前記スプリングカバーは環状弾性体により構成されている請求項１に記載のメカニカルシール。
【請求項３】
前記スプリングカバーは、軸方向に離間して配置された二つの環状剛体と、当該二つの環状剛体の間を塞ぐように密封して固定され弾性部材により形成された環状弾性体とを有し、前記二つの環状剛体は前記スプリングの各端部側において二次シールにより密封されている請求項１に記載のメカニカルシール。
【請求項４】
前記環状剛体は径方向に突出するフランジ部を有し、かつ、前記環状弾性体は前記フランジ部に軸方向に遊嵌する溝部を有し、前記環状弾性体は前記溝部よりも軸方向端部側において前記環状剛体に固定されている請求項３に記載のメカニカルシール。
【請求項５】
前記環状弾性体はその両端部をバンドにより固定されている請求項１ないし４のいずれかに記載のメカニカルシール。
【請求項６】
前記環状弾性体は軸に平行な筒状部を有する請求項１ないし５のいずれかに記載のメカニカルシール。
【請求項７】
前記スプリングカバーと前記スプリングとの間の空間にオイル、グリース、水などの充填流体が充填されている請求項１ないし６のいずれかに記載のメカニカルシール。
【請求項８】
前記環状弾性体には径方向に肉厚となる充填流体注入部が設けられている請求項７に記載のメカニカルシール。
【請求項９】
前記スプリング及び前記スプリングカバーは前記回転機械の機外側に設けられている請求項１ないし８のいずれかに記載のメカニカルシール。
【請求項１０】
前記スプリングカバーの一端は、前記回転軸または前記回転機器のハウジングに液密に固定されている請求項１ないし９のいずれかに記載のメカニカルシール。
【請求項１１】
前記環状弾性体はゴム製である請求項１ないし１０のいずれかに記載のメカニカルシール。
【発明の詳細な説明】
【技術分野】
【０００１】
本発明は、電動機、原動機、ポンプ、攪拌機、紛体機械、コンプレッサなどの各種回転機械に使用され、被密封流体の漏れを制限するメカニカルシールに関するものである。
【背景技術】
【０００２】
メカニカルシールは、シール端面の摩耗に従い、スプリングなどによって軸方向に動くことができる回転密封環及び軸方向に動かない静止密封環からなり、軸にほぼ垂直な相対的に回転するシール端面において被密封流体の漏れを制限する働きをするものである。特許文献１に記載されたメカニカルシールは、回転側リテーナを機内側に延出する構造としてスプリングを配置する密閉空間を形成し、この回転側リテーナに２巻以下で径方向に拡縮可能な合成樹脂性のスパイラルパッキン等を用いて、スプリングが配置される密閉空間にシール端面から漏れた流体やスラリー等を侵入し難くしている。（例えば特許文献１を参照。）
【先行技術文献】
【特許文献】
【０００３】
【特許文献１】実公平６−２９５６５号公報（第２頁、第１図）
【発明の概要】
【発明が解決しようとする課題】
【０００４】
特許文献１にあっては、回転側リテーナは、回転密封環と共に軸方向に移動可能な部材であって、その一部は外径側においてスプリングよりも機内側に延出し、その延出部分はカラーの外周に設けられた環状凹部に配置されたＯリングに接触するものである。そして、回転密封環や静止密封環の摩耗等によって、回転側リテーナが軸方向に移動すると、上記延出部分は上記Ｏリングの上部を軸方向に摺動する構造であるため、上記延出部分が傾いたり、Ｏリングの凝着等によって回転側のリテーナが軸方向に円滑に移動できずにスプリングの本来の機能を十分に発揮できずに回転密封環の追従性が悪くなる虞があった。また、回転側リテーナは機内側に延出する片持梁状とされるとともにその基部に回転密封環を保持しているため、機内側の圧力変動等によって軸に対して傾く外力が作用すると回転密封環のシール端面を傾ける力が作用し、本来のスプリングの機能を発揮できなくなる虞があった。【０００５】
本発明は、このような問題点に着目してなされたもので、スプリングの機能を発揮しやすいメカニカルシールを提供することを目的とする。
【課題を解決するための手段】
【０００６】
前記課題を解決するために、本発明のメカニカルシールは、
回転機械の回転軸が挿通されるハウジングと、
前記ハウジングに保持された静止密封環と、
前記回転軸とともに回転し前記静止密封環と摺接する回転密封環と、
前記静止密封環と前記回転密封環とを軸方向に圧接状態に付勢するスプリングと、
前記スプリングを外径側または内径側において軸方向に密封して覆うとともに弾性変形可能に形成された環状弾性体を少なくとも有する環状のスプリングカバーと
を備えたメカニカルシール。
これによれば、静止密封環や回転密封環の摩耗等によって、スプリングに付勢される側の部材が軸方向に移動しても、スプリングカバーは軸方向に弾性変形するため、スプリングの伸縮に円滑に追従することができ、スプリング本来の機能を発揮することができる。また、スプリングカバーに径方向に外力が作用しても、スプリングカバーは弾性変形可能であるため、スプリングカバーの取り付け部分に軸に対して傾く力は略生じない。【０００７】
前記スプリングカバーは環状弾性体により構成されている。
これによれば、一部材によりスプリングカバーを構成できるため構造を単純とできるとともに、軸方向への伸縮性に優れる。また、慣用されたメカニカルシールの構成要素の形状等大きく変えることなく、スプリングカバーを取り付けることができる。【０００８】
前記スプリングカバーは、軸方向に離間して配置された二つの環状剛体と、当該二つの環状剛体の間を塞ぐように密封して固定され弾性部材により形成された環状弾性体とを有し、前記二つの環状剛体は前記スプリングの各端部側において二次シールにより密封されている。
これによれば、スプリングカバーを二つの環状剛体と環状弾性体との三部材により構成できるため、スプリングカバーの着脱が簡単である。また、慣用されたメカニカルシールの構成要素の形状等大きく変えることなく、スプリングカバーを取り付けることができる。【０００９】
前記環状剛体は径方向に突出するフランジ部を有し、かつ、前記環状弾性体は前記フランジ部に軸方向に遊嵌する溝部を有し、前記環状弾性体は前記溝部よりも軸方向端部側において前記環状剛体に固定されている。
これによれば、環状弾性体が軸方向に伸びる際に、フランジ部が溝部内を軸方向に移動できるため、環状弾性体の伸びる領域を広く確保できるとともに、フランジ部は環状弾性体の軸方向の抜け止めとして機能する。【００１０】
前記環状弾性体はその両端部をバンドにより固定されている。
これによれば、別途Ｏリング等の二次シールを用いることなく環状弾性体と被締結部材とを簡単に密封状態に固定できる。【００１１】
前記環状弾性体は、軸に平行な筒状部を有する。
これによれば、軸に平行な筒状部は軸方向に延びても軸方向に凹凸が生じないため、当該筒状部に異物が挟まることがない。【００１２】
前記スプリングカバーと前記スプリングとの間の空間にオイル、グリース、水などの充填流体が充填されている。
これによれば、スプリングカバーとスプリングとの間の空間に充填流体が充填されているため、スプリングの隙間に異物が入ってスプリングの機能を損なう虞が少ない。【００１３】
前記環状弾性体には径方向に肉厚となる充填流体注入部が設けられている。
これによれば、スプリングカバーを着脱することなく充填流体注入部に針状物を刺すことで充填流体を補充することができる。【００１４】
前記スプリング及び前記スプリングカバーは前記回転機械の機外側に設けられている。
この特徴によれば、機外側から侵入する塵埃等を抑制できる。【００１５】
前記スプリングカバーの一端は、前記回転軸または前記回転機器のハウジングに液密に固定されている。
これによれば、回転軸または回転機器のハウジングとの間の密封性が高められる。【００１６】
前記環状弾性体はゴム製である。
これによれば、弾性に優れる。
【図面の簡単な説明】
【００１７】
【図１】実施例１におけるメカニカルシールの全体を示す断面図である。
【図２】スプリングカバーを取り着ける前のシールリング側の部材の斜視図である。
【図３】スプリングカバーの斜視図である。
【図４】シールリング側の部材の斜視図である。
【図５】スプリングカバーの製造方法を説明するための断面図である。
【図６】実施例２におけるメカニカルシールの全体を示す断面図である。
【図７】実施例３におけるメカニカルシールの全体を示す断面図である。
【図８】実施例４におけるメカニカルシールの全体を示す断面図である。
【図９】実施例５におけるメカニカルシールの全体を示す断面図である。
【図１０】（ａ）伸長前のスプリングカバーを示す断面図、（ｂ）伸長後のスプリングカバーを示す断面図である。
【発明を実施するための形態】
【００１８】
本発明に係るメカニカルシールを実施するための形態を実施例に基づいて以下に説明する。なお、本発明はこれに限定されて解釈されるものではなく、本発明の範囲を逸脱しない限りにおいて、当業者の知識に基づいて、種々の変更、修正、改良を加えうるものである。
【実施例１】
【００１９】
図１〜４に示すように、メカニカルシール１は、メイティングリング１０（静止密封環）と、シールリング２０（回転密封環）と、シールリングリテーナ３０と、ベローズ４０（スプリング）と、カラー５０と、ゴムスプリングカバー６０（スプリングカバー）とから主に構成されている。メカニカルシール１は、回転機械のハウジング２と、ハウジング２の軸孔３を貫通して回転機械の機外Ａ側に連通するように配置される回転軸４との間に装着されている。機外Ａ側は、海水、水、空気等の雰囲気であり、機内Ｍ側は被密封流体が封入されている。【００２０】
メイティングリング１０は、Ｏリング１２を介してハウジング２に対し非回転状態に装着されている。シールリング２０は、回転軸４側に装着されてこの回転軸４と一体的に回転する。メイティングリング１０とシールリング２０とは、回転軸４の軸方向に沿って互いに対向するように配置されており、それらの対向した端面である摺動面１０ａ、２０ａ同士が密接することにより、被密封流体をシールする。すなわち、メカニカルシール１は内径側から外径側への被密封流体の漏れを制限するアウトサイド形である。【００２１】
メイティングリング１０及びシールリング２０はいずれも硬質摺動材（例えばＳｉＣ等のセラミックス）により形成されている。【００２２】
図１、図２を参照し、シールリング２０は図示しない周知のノックピン等を介してシールリングリテーナ３０に対し焼嵌めにより非回転状態に装着されている。ベローズ４０は、金属製（例えばステンレス鋼）かつ環状の蛇腹形状であり、シールリングリテーナ３０とカラー５０との間に圧縮状態で配置され、その両端部４１、４２がそれぞれシールリングリテーナ３０とカラー５０とに液密に溶接されている。カラー５０は、そのネジ孔５２にセットスクリュー５１を螺合させることにより回転軸４に対し非回転状態に固定されており、その内周において外径側に凹む環状凹部５３にはＯリング５４が装着されている。【００２３】
ゴムスプリングカバー６０（スプリングカバー、環状弾性体）は、シリコーンゴムにより形成されておりかつ円筒状の形状（図１、図３）であり、主に、軸方向機外Ａ側から、肉厚の固定部６１、ベローズ４０に対向して配置される薄肉の伸縮部６２（軸に平行な筒状体）、肉厚の固定部６３の３つの部分から構成さている。ゴムスプリングカバー６０の内周側とベローズ４０の外周側との間の密閉空間ＳにはグリースＧ（充填流体）が充填されており、ベローズ４０の内周側は機内Ｍ側の雰囲気とされている。なお、密閉空間Ｓはベローズ４０の外周、シールリングリテーナ３０の一部、ゴムスプリングカバー６０の内周の一部、カラー５０の一部により画成される空間である。【００２４】
ゴムスプリングカバー６０の固定部６１は、その内径はカラー５０の外径と略同径に形成されており、外周において内径側に凹む環状バンド溝６４に配置される結束バンド６５（バンド）の締結によりカラー５０に対し非回転状態に固定されている。同様に、固定部６３は、その内径はシールリングリテーナ３０の外径と略同径に形成されており、外周において内径側に凹む環状バンド溝６６に配置される結束バンド６７（バンド）の締結によりシールリングリテーナ３０に対し非回転状態に固定されている。環状バンド溝６４、６６内で結束バンド６５、６７を締結しているため、結束バンド６５、６７の軸方向の位置決めが簡単であるとともに、軸方向への位置ずれを防止している。【００２５】
伸縮部６２には、内周において内径側（スプリング側）に突出する肉厚部７０、７１、７２（充填流体注入部）が形成されている。肉厚部７０、７１、７２にグリース注入器９０の注入針９１を刺し密閉空間Ｓにグリースを注入することができるようになっている。これによれば、ゴムスプリングカバー６０を着脱することなくグリースＧを補充することができる。また、ゴムスプリングカバー６０はシリコーンゴムにより形成されているため、注入針９１を抜くとその開口は弾性復帰によって塞がれる。また、密閉空間Ｓの軸方向の端部、すなわち伸縮部６２の軸方向の端部において肉厚部７１、７２を設けているので、回転軸４が鉛直方向に配置される縦置型の回転機器にも対応できる。【００２６】
図１の拡大図を参照し、メイティングリング１０やシールリング２０の摩耗等によって、シールリング２０及びシールリングリテーナ３０はベローズ４０が僅かに伸長するのに伴い僅かな長さΔＬだけ移動した状態となる。ここで、ゴムスプリングカバー６０は両端部が結束バンド６５、６７により締結固定されている。そのため、ゴムスプリングカバー６０には結束バンド６５、６７による締結部分を作用点として軸方向に引張力が作用し、伸縮部６２が軸方向に長さΔＬだけ伸長する。このように、ゴムスプリングカバー６０が伸長するためベローズ４０の伸長機能を損なうことがない。
一方、ゴムスプリングカバー６０に径方向に外力が作用しても、ゴムスプリングカバー６０は自体が径方向に変形するため、ゴムスプリングカバー６０の固定部６１には軸に対して傾く力は略生じない。【００２７】
次にゴムスプリングカバー６０の製造方法について説明する。
図５を参照し、ゴムスプリングカバー６０の内周側の外形に沿った回転型１８０に、離型剤１８１を塗布する。その後、回転型１８０を回転させながらシリコーンゴム１８２を流し込み、回転型１８０にシリコーンゴム１８３を積層させる。シリコーンゴム１８３を軸方向の各箇所が所望の厚さとなるまで積層工程を繰り返すことで、ゴムスプリングカバー６０を製造する。【００２８】
以上のように、ゴムスプリングカバー６０はベローズ４０を外径側において液密に覆うとともにシールリングリテーナ３０及びカラー５０に着脱可能に固定されおり、ゴムスプリングカバー６０の内径側において、シールリング２０、シールリングリテーナ３０が軸方向に移動可能に構成されている。このように、ゴムスプリングカバー６０を設けているため密閉空間Ｓへの異物の混入を抑制できる結果、ベローズ４０外周の蛇腹部に異物が挟まることや異物によってベローズ４０自体が腐食等される虞を低減できる。また、ベローズ４０自体が密閉空間Ｓの二次シールを兼ねるため構造を単純化できる。さらに、ゴムスプリングカバー６０は軸方向に弾性変形するため、ベローズ４０の伸縮に円滑に追従することができ、スプリング本来の機能を発揮することができる。さらに、ゴムスプリングカバー６０の伸縮部６２が径方向に撓むことによって密閉空間Ｓの圧力変化を吸収可能となっている。また、ゴムスプリングカバー６０に径方向に外力が作用しても、ゴムスプリングカバー６０は弾性変形可能であるため、ゴムスプリングカバー６０の取り付け部分に軸に対して傾く力は略生じない。【００２９】
また、ゴムスプリングカバー６０の伸縮部６２は軸に平行な筒状である。これによれば、軸方向に延びても軸方向に凹凸が生じないため、当該伸縮部６２に異物が挟まることがない。【００３０】
また、密閉空間ＳにグリースＧが充填されているため、密閉空間Ｓに異物が混入し難くかつ侵入した異物は粘性を有するグリースＧによって移動を制限され、ベローズ４０の隙間に異物が入ってスプリングの機能を損なう虞が少ない。【００３１】
また、ゴムスプリングカバー６０は結束バンド６５、６７により着脱可能に固定されているため、メカニカルシール１の組立や分解の作業性が良い。また、慣用されたメカニカルシールの構成要素の形状等大きく変えることなく、ゴムスプリングカバー６０を取り付けることができる。【００３２】
また、ゴムスプリングカバー６０は円筒形状であるため、外周側に凹凸が少なく、回転時においてゴムスプリングカバー６０が略回転抵抗とはならない。【００３３】
また、ベローズ４０及びゴムスプリングカバー６０は回転機械の機外Ａ側に設けられているため、機外Ａ側から侵入する塵埃等を制限できる。
【実施例２】
【００３４】
以下、本発明の実施例２について説明する。実施例２はゴムスプリングカバー２６０をカップ形状としている点が実施例１とは主に相違している。なお、実施例１と同様の構成についてはその説明を省略する。【００３５】
図６に示されるように、ゴムスプリングカバー２６０（シールカバー、環状弾性体）は、シリコーンゴム製であり、円筒部２６１と底部２６２から形成された略カップ形状であり、底部２６２の中央には開口２６３が設けられている。底部２６２の外周には外径方向に凹む環状凹部２６５が設けられている。この環状凹部２６５に結束バンド２６６（バンド）が配置・締結されることで、内周面２６４と回転軸４との間がシールされる。これによれば、回転軸４とのシール性が高められているとともに、セットスクリュー５１、カラー５０に対するシール性が高められている。【００３６】
また、円筒部２６１のカラー５０の外周と対向する箇所は、結束バンド２６７によって締結されて、ゴムスプリングカバー６０を安定的に取り付けている。なお、結束バンド２６７の配置は必須ではない。また、ゴムスプリングカバー２６０はカップ形状となっており、円筒部２６１と底部２６２の内側に角部を有するためカラー５０との位置合わせが簡単である。尚、円筒部２６１については実施例１のゴムスプリングカバー６０と略同様の構成であるためその説明を省略する。
【実施例３】
【００３７】
以下、本発明の実施例３について説明する。実施例３はコイルスプリング３４０が実施例１のベローズ４０とは主に相違している。なお、実施例１と同様の構成についてはその説明を省略する。【００３８】
図７に示されるように、シールリング２０はノックピン３３１を介してシールリングリテーナ３３０に対し非回転状態に装着されている。コイルスプリング３４０は、金属製であり、シールリングリテーナ３３０とカラー３５０のとの間に圧縮状態で配置されている。シールリングリテーナ３３０の外周において内径側に凹む環状凹部３３２が形成され、環状凹部３３２にＯリング３３３が配置されている。シールリングリテーナ３３０の内周において外径側に凹む環状凹部３３４が形成され、環状凹部３３４にＯリング３３５が配置されている。【００３９】
カラー３５０の内周において外径側に凹む環状凹部３５２が形成され、環状凹部３５２４にＯリング３５３が配置され、回転軸４との間の密封性を高めている。カラー３５０はセットスクリュー３５１により回転軸４にＯリング３５３を介して液密に固定されている。【００４０】
コイルスプリング３４０が配置される密閉空間Ｓ３にはグリースＧが充填されている。なお、密閉空間Ｓ３はＯリング３３３、シールリングリテーナ３３０の一部、ゴムスプリングカバー６０の内周の一部、カラー３５０の一部、回転軸４の一部により画成される空間である。【００４１】
シールリングリテーナ３３０は環状凹部３３４よりもカラー３５０側にコイルスプリング３４０内を通って延びる爪片３３６が周方向に等配され、この爪片３３６はカラー３５０に設けられた軸方向凹部３５４に嵌め合わされている。このようにして、爪片３３６は軸方向凹部３５４に対し軸方向に移動可能かつ回転方向に移動が規制されており、爪片３３６を介して回転軸４の回転力がシールリングリテーナ３３０に伝達されるようになっている。
【実施例４】
【００４２】
以下、本発明の実施例４について説明する。図８に示される実施例４はゴムスプリングカバー４６０をカップ形状としている点が実施例３とは主に相違している。カップ形状については実施例２のゴムスプリングカバー２６０の構成と同様である。また、その他の構成は、実施例１、３と同様の構成についてはその説明を省略する。
【実施例５】
【００４３】
以下、本発明の実施例５について説明する。図９に示される実施例４はシールカバーを複数の円筒状部材を連結した連結スプリングカバーとしている点が実施例１とは主に相違している。【００４４】
連結スプリングカバー５６０は、主に、軸方向機外Ａ側から、環状筒体５６１（環状剛体）、環状ゴム体５８１（環状弾性体）、環状筒体５７１（環状剛体）の３つの部分が連結されたいわゆる片持ち構成とされている。環状筒体５６１、５７１は、金属製例えばステンレス鋼により形成されておりかつ略円筒状の形状であり、環状ゴム体５８１はシリコーンゴムの成型品であり略円筒状の形状である。連結スプリングカバー５６０の内周側とベローズ４０の外周側との間の密閉空間Ｓ５にはグリースＧ（充填流体）が充填されており、ベローズ４０の内周側は機内Ｍ側の雰囲気とされている。なお、密閉空間Ｓ５はベローズ４０の外周、シールリングリテーナ３０’の一部、Ｏリング５７５（二次シール）、連結スプリングカバー５６０の内周の一部、Ｏリング５６５（二次シール）、カラー５０の一部により画成される空間である。【００４５】
環状筒体５６１は、そのネジ孔５６３に止めネジ５６２を螺合させることによりカラー５０に非回転状態に固定されている。また、環状筒体５６１の内周かつ止めネジ５６２よりもシールリング２０側の内周において外径側に凹む凹部５６４にはＯリング５６５が装着され、環状筒体５６１とカラー５０との間をシールしている。【００４６】
環状筒体５７１の内周において外径側に凹む環状凹部５７４にはＯリング５７５が装着され、環状筒体５７１とシールリングリテーナ３０’との間をシールしている。Ｏリング５７５は、互いに対向するシールリングリテーナ３０’の環状凹部３５の底面と環状筒体５７１の環状凹部５７４の底面とに挟持状態で保持されている。また、図１０を参照し、環状筒体５７１には、径方向に貫通する貫通孔５７２（充填口）が設けられており、常時、貫通孔５７２は封止ボルト５７３により封止されている。封止ボルト５７３を外すことにより貫通孔５７２から密閉空間ＳにグリースＧを充填できるようになっている。なお、貫通孔５７２に代えて実施例１と同様の肉厚部を環状ゴム体５８１に設け注入針を有するグリース注入器によってグリースを注入するようにしてもよい。【００４７】
環状ゴム体５８１は、軸方向機外Ａ側から、肉厚の固定部５８２、厚肉の橋絡部５８３（軸に平行な筒状部）、薄肉の橋絡部５８４（軸に平行な筒状部）、厚肉の橋絡部５８５（軸に平行な筒状部）、肉厚の固定部５８６が連なった一体成型品であり、肉厚の固定部５８２、５８６には外周において内径側に凹む環状バンド溝５８２ａ、５８６ａが形成されており、厚肉の橋絡部５８３、５８５には内周において外径側に凹む環状遊嵌溝５８３ｂ、５８５ｂが形成されており、薄肉の橋絡部５８４には外周において内径側に凹む凹溝５８４ａが形成されている。【００４８】
環状筒体５６１の端部５６６と環状筒体５７１の端部５７６に環状ゴム体５８１の両端を配置・仮固定して、環状バンド溝５８２ａ、５８６ａに結束バンド５９１、５９２（バンド）装着して締め付けることにより、固定部５８２、５８６は環状筒体５６１の外周面５６８と環状筒体５７１の外周面５７８にそれぞれ液密に取り付けられる。これによれば、環状ゴム体５８１と環状筒体５６１、５７１とのシールは、結束バンド５９１、５９２の締め付けだけであるので構造が簡単である。【００４９】
回転機械にメカニカルシール１を組み付けた状態（図１０（ａ）に示される状態）において、環状遊嵌溝５８３ｂ、５８５ｂにフランジ部５６７、５７７が径方向に非接触かつ軸方向に遊嵌した状態とされているとともに、軸方向においてフランジ部５６７、５７７間に薄肉の橋絡部５８４が配置された状態なっている。なお、環状遊嵌溝５８３ｂ、５８５ｂにフランジ部５６７、５７７を軸方向に遊嵌させる長さはメイティングリング１０やシールリング２０が軸方向において摩耗する最大の長さよりも長く設定しておくことが好ましい。【００５０】
メカニカルシール１を使用して、メイティングリング１０やシールリング２０が摩耗等すると、シールリング２０及びシールリングリテーナ３０’はベローズ４０が僅かに伸長するに伴い僅かな長さΔＬだけ移動した状態（図１０（ｂ）の状態）となる。ここで、Ｏリング５７５と環状凹部３５、５７４との静止摩擦力よりも弱い力で環状ゴム体５８１は弾性変形するように設計されている。そのため、上述の移動に伴って、環状筒体５７１もΔＬだけメイティングリング１０側に移動する。一方、環状筒体５６１は軸方向に固定的に取り付けられているため移動しない。【００５１】
その結果、環状ゴム体５８１には結束バンド５９１、５９２による締結部分を作用点として軸方向に引張力が作用し、厚肉の橋絡部５８３、薄肉の橋絡部５８４、厚肉の橋絡部５８５が軸方向に伸長する。このとき、径方向の長さ（厚さ）の違いにより、厚肉の橋絡部５８３、５８５の伸長量ΔＬ５８３、ΔＬ５８５よりも薄肉の橋絡部５８４の伸長量ΔＬ５８４は多い。このように、環状ゴム体５８１が伸長するためベローズ４０の伸長機能を損なうことがない。
一方、連結スプリングカバー５６０に径方向に外力が作用しても、環状ゴム体５８１自体が径方向に変形するため、環状筒体５６１に対して軸に対して傾く力は略生じない。【００５２】
以上のことから、連結スプリングカバー５６０を二つの環状筒体５６１、５７１と環状ゴム体５８１との三部材により構成できるため、連結スプリングカバー５６０の着脱が簡単である。また、慣用されたメカニカルシールの構成要素の形状等大きく変えることなく、連結スプリングカバー５６０を取り付けることができる。【００５３】
また、環状ゴム体５８１の橋絡部５８３、５８４、５８５は、それぞれ軸に平行な筒状である。これによれば、軸方向に延びても軸方向に凹凸が生じないため、当該橋絡部５８３、５８４、５８５に異物が挟まることがない。【００５４】
また、環状ゴム体５８１の環状遊嵌溝５８３ｂ、５８５ｂに環状筒体５６１、５７１のフランジ部５６７、５７７が軸方向に遊嵌した状態で、環状ゴム体５８１は環状遊嵌溝５８３ｂ、５８５ｂよりも軸方向端部側において各環状筒体５６１、５７１に固定されている。これによれば、環状ゴム体５８１が軸方向に伸びる際に、フランジ部５６７、５７７が環状遊嵌溝５８３ｂ、５８５ｂ内を軸方向に移動できるため、環状ゴム体５８１の伸びる領域を広く確保できるとともに、フランジ部５６７，５７７は環状ゴム体５８１の軸方向の抜け止めとして機能する。【００５５】
また、連結スプリングカバー５６０はカラー５０に止めネジ５６２により着脱可能に固定され、連結スプリングカバー５６０とカラー５０との間にはＯリング５６５が配置されており、さらに連結スプリングカバー５６０とシールリングリテーナ３０’との間にはＯリング５７５が配置されている。これによれば、連結スプリングカバー５６０はカラー５０及びシールリングリテーナ３０’に着脱できるため、メカニカルシール１の組立や分解の作業性が良い。【００５６】
また、連結スプリングカバー５６０は円筒形状であるため、外周側に凹凸が少なく、回転時において連結スプリングカバー５６０が略回転抵抗とはならない。【００５７】
また、連結スプリングカバー５６０の環状筒体５６１、５７１は金属製であるため、グリースＧを介して伝えられた熱、例えばメイティングリング１０とシールリング２０との摺動発熱を連結スプリングカバー５６０から効率的に放熱できる。【００５８】
なお、本実施例５において、環状剛体の例としてステンレス鋼からなる環状筒体５６１、５７１について説明したが、剛体であればよく、その材質は金属に限られず、例えば繊維強化プラスチック（ＦＲＰ）であってもよい。【００５９】
また、連結スプリングカバー５６０のカラー５０側の環状筒体５６１はカラー５０に着脱可能に固定される例に説明したが、当該環状筒体５６１とカラー５０とが一体に形成されたものであってもよい。【００６０】
また、連結スプリングカバー５６０のシールリング２０側の環状筒体５７１は、Ｏリング５７５を介してシールリングリテーナ３０’に接続される例を説明したが、シールリング２０側の他の部材、例えばシールリング２０にＯリングを介して接続するものであってもよい。さらに、当該環状筒体５７１は、シールリング２０側の部材に止めネジ等により回転不能かつ軸方向に移動不能に固定されていてもよい。【００６１】
以上、本発明の実施例を図面により説明してきたが、具体的な構成はこれら実施例に限られるものではなく、本発明の要旨を逸脱しない範囲における変更や追加があっても本発明に含まれる。【００６２】
例えば、上述した実施例１〜５において、被密封流体の外径側への漏れを制限するアウトサイド形の例について説明したが、流体を被密封流体とするいわゆるインサイド形のものであってもよい。【００６３】
また、実施例１〜５において、ベローズやコイルスプリングなどのスプリングが回転軸側に設けられる回転形の例について説明したが、スプリングが回転機器のハウジング等の非回転部材に設けられる静止形であってもよい。静止形の場合には、ハウジング等の非回転部材に設けられたスプリングに対して、径方向内側からスプリングカバーを取り付けるようにすればよい。【００６４】
また、実施例１〜５においは、メイティングリング及びシールリングをいずれも硬質摺動材（例えばＳｉＣ等のセラミックス）により形成される例について説明したが、これらの材質は問わない。例えば、メイティングリングは硬質摺動材により形成され、シールリングはカーボン摺動材により形成してもよい。【００６５】
また、実施例１〜４におけるゴムスプリングカバー、実施例５における環状ゴム体の例としてシリコーンゴムからなる環状ゴム体について説明したが、弾性体は環状剛体よりも軸方向に伸縮しやすいものであればよい。また、環状弾性体の材質として耐熱耐候性に優れるシリコーンゴムを例に説明したが、その材質は問わず、例えばSBR(スチレンブタジエンゴム)、BR(ブタジエンゴム)、CR(クロロプレンゴム)、IR(イソプレンゴム)、IIR(イソプチレン・イソプレンゴム)、EPM，EPDM(エチレンプロピレンゴム)、エビクロルヒドリンゴム(CO，ECO)であってもよい。【００６６】
また、実施例１〜５において、二次シールとしてのＯリングは他の密封手段を採用してもよい。【００６７】
また、実施例１〜５において、バンドとして結束バンドを例に説明したが、周方向に締め付け力を付与できる部材であればよく、例えばガータスプリングであってもよい。【００６８】
なお、実施例１〜４において回転型を用いてゴムスプリングカバーを製造する例について説明したが、分割型や３Ｄプリンタを用いて製造してもよい。同様に、実施例５における弾性ゴム体の製造についても同様である。
また、ゴムスプリングカバーや環状ゴム体の形状は種々の形状とすることができる。【００６９】
また、実施例１〜５において、密閉空間にグリースが充填される例について説明したが、充填される流体はグリース以外であってもよく、例えばオイル、水であってもよい。さらに、液体が充填されない態様であってもよい。
【符号の説明】
【００７０】
１            メカニカルシール
２            ハウジング
４            回転軸
１０          メイティングリング（静止密封環）
２０          シールリング（回転密封環）
３０、３０’  シールリングリテーナ
４０          ベローズ（スプリング）
６０          ゴムスプリングカバー（環状弾性体）
６１          固定部
６２          伸縮部（軸に平行な筒状部））
６３          固定部
６５          結束バンド（バンド）
６７          結束バンド（バンド）
７０          肉厚部（充填流体注入部）
７１          肉厚部（充填流体注入部）
７２          肉厚部（充填流体注入部）
２６０        ゴムスプリングカバー（環状弾性体）
２６６        結束バンド（バンド）
２６７        結束バンド（バンド）
４６０        ゴムスプリングカバー（環状弾性体）
５６０        連結スプリングカバー
５６１        環状筒体（環状剛体）
５６２        止めネジ
５６３        ネジ孔
５６５        Ｏリング（二次シール）
５６７        フランジ部
５７１        環状筒体（環状剛体）
５７２        貫通孔（充填口）
５７５        Ｏリング（二次シール）
５７７        フランジ部
５８１        環状ゴム体（環状弾性体）
５８２        固定部
５８２ａ      環状バンド溝
５８３        橋絡部（軸に平行な筒状部）
５８３ｂ      環状遊嵌溝（溝部）
５８４        橋絡部（軸に平行な筒状部）
５８５        橋絡部（軸に平行な筒状部）
５８５ｂ      環状遊嵌溝（溝部）
５８６        固定部
５８６ａ      環状バンド溝
５９１        結束バンド（バンド）
５９２        結束バンド（バンド）
Ａ            機外
Ｍ            機内
Ｇ            グリース（充填流体）
Ｓ            密閉空間
Ｓ２          密閉空間
【図１】
2018092792.tif 000003
【図２】
2018092792.tif 000004
【図３】
2018092792.tif 000005
【図４】
2018092792.tif 000006
【図５】
2018092792.tif 000007
【図６】
2018092792.tif 000008
【図７】
2018092792.tif 000009
【図８】
2018092792.tif 000010
【図９】
2018092792.tif 000011
【図１０】
2018092792.tif 000012
【国際調査報告】
2018092792.tif 000013
2018092792.tif 000014
2018092792.tif 000015
2018092792.tif 000016